(57)【特許請求の範囲】
【請求項１】
機器の状態を表示する表示方法において、
上記機器の複数の状態を表わす各表示図形要素を予め設定し、一の状態のレベルに応じて変化する一の表示図形要素と、他の状態のレベルに応じて変化する表示図形要素を選択し、それぞれ当該状態の変化のレベルに対応した一の表示図形要素と、他の表示図形要素を組み合わせた上記表示図形を表示する表示方法であり、
上記機器は無線端末機器であって、この無線端末機器の備える無線処理手段に入力される送信信号により得た情報を基にして上記機器の状態の変化を検出することを特徴とする表示方法。
【請求項２】
少なくとも送信信号を検出して処理する無線処理手段と、上記無線処理手段からの情報を基にして得た状態の情報により、当該状態の変化に応じたレベルを判別するレベル判別手段と、
上記レベル判別手段で得た判別結果に基づいて一の表示図形要素を選択するとともに、上記機器における他の状態の変化に応じて他の表示図形要素を選択し、上記各表示図形要素を組み合わせた表示図形を構築する表示制御手段と、
上記表示制御手段によって選択した上記表示図形を表示する表示部とを備えることを特徴とする通信装置。
【請求項３】
複数の上記レベルに対応して上記一の表示図形要素として互いに顔の輪郭が異なる複数のキャラクタを設定し、複数の上記状態の変化に応じて顔の輪郭を順次変化させて表示することを特徴とする請求項２記載の通信装置。
【請求項４】
上記レベル判別手段は、上記無線処理手段からの情報に基づいて通話時間情報を検出する通話時間検出手段と、
この通話時間検出手段が検出した通話時間情報を基に通話時間の変化のレベルを判別するレベル判別検出手段とを備えることを特徴とする請求項２記載の通信装置。
【請求項５】
上記レベル判別手段は、上記無線処理手段からの情報に基づいて通話回数情報を検出する通話回数検出手段と、
この通話回数検出手段が検出した通話回数情報を基に通話回数の変化のレベルを判別するレベル判別手段とを備えることを特徴とする請求項２記載の通信装置。
【発明の詳細な説明】
【０００１】
【発明の属する技術分野】
本発明は、機器の情報を表示する表示方法、また機器の情報を表示する表示部を通信装置に関する。
【０００２】
【従来の技術】
近年、携帯電話装置等が無線システムとして実用化されている。この無線システムは、基本的には基地局が所定の間隔で複数配置されて、各基地局を中心としたサービスエリアが設定されている。そして、各サービスエリア内にある携帯電話装置は、そのエリアの基地局に無線連絡を行って、基地局を経由した電話回線を設定させて任意の相手と通話やデータ伝送などを行っている。
【０００３】
例えば、上記携帯電話装置等には、受信待ち受け時に、表示部の一部にバッテリ残量やサービスエリア内の情報を示す電界強度などをアイコンとして表示できるものがある。
【０００４】
【発明が解決しようとする課題】
ところで、上記携帯電話装置等は、待ち受け時の表示に、上述のように、上記バッテリ残量やサービスエリア等を表示する以外、表示部の表示面積の大部分を占める情報表示部分に何も表示されていない状態のものが一般的である。また、待ち受け時に表示される場合であっても、図２１に示すように、上記情報表示部分１００に現在時刻などが表示される簡素なものが主流であった。
【０００５】
そのために、携帯電話装置等は、広い表示部分をもちながら、通信に関する有意義な情報の表示のために活用されることが少なかった。さらに、年々小型化される携帯電話装置等では、その表示部の面積も装置の小型化に比例して小さくなってきている。
【０００６】
また、電界強度やバッテリ残量の表示は、携帯電話装置等の端末装置においては、使用することができるか否かといった重要な情報に当たり、通話時間や通話料金の概算値は、絶対的なものではなく、使用の目安になる程度のものであった。
【０００７】
そこで、本発明は、上述の実情に鑑みてなされたものであって、ユーザ等が機器の状態を示す情報を自由に設定して、設定された情報を有意義なものとして表示することができる表示方法及び通信装置に関する。
【０００８】
【課題を解決するための手段】
本発明に係る表示方法は、上述の課題を解決するために、機器の状態を表示する表示方法において、上記機器の複数の状態を表わす各表示図形要素を予め設定し、一の状態のレベルに応じて変化する一の表示図形要素と、他の状態のレベルに応じて変化する表示図形要素を選択し、それぞれ当該状態の変化のレベルに対応した一の表示図形要素と、他の表示図形要素を組み合わせた上記表示図形を表示する表示方法であり、上記機器は無線端末機器であって、この無線端末機器の備える無線処理手段に入力される送信信号により得た情報を基にして上記機器の状態の変化を検出する。
【０００９】
このようにして構成した表示方法は、無線端末機器の備える無線処理手段に入力される送信信号により得た情報を基にして上記機器の状態の変化を検出し、当該機器の状態の変化のレベルに対応した一の表示図形要素と、他の表示図形要素を組み合わせた表示図形を表示する。
【００１１】
さらに、本発明に係る通信装置は、上述の課題を解決するために、少なくとも送信信号を検出して処理する無線処理手段と、上記無線処理手段からの情報を基にして得た状態の情報により、当該状態の変化に応じたレベルを判別するレベル判別手段と、上記レベル判別手段で得た判別結果に基づいて一の表示図形要素を選択するとともに、上記機器における他の状態の変化に応じて他の表示図形要素を選択し、上記各表示図形要素を組み合わせた表示図形を構築する表示制御手段と、上記表示制御手段によって選択した上記表示図形を表示する表示部とを備える。
【００１２】
このように構成した通信装置は、レベル判別手段によって得た機器の状態の変化に応じたレベルの判別結果に基づいて、表示制御手段が一の表示図形要素を選択するとともに、上記機器における他の状態の変化に応じて他の表示図形要素を選択し、上記各表示図形要素を組み合わせた表示図形を構築し、その表示図形を表示部が表示する。
【００１３】
【発明の実施の形態】
以下、本発明の実施の形態について図面を用いて説明する。実施の形態は、例えば携帯電話装置等の通信機器に適用して構成した表示装置であって、図１に示すように、送受信信号が入力される無線処理部２と、通信機器の状態の情報により、当該通信機器の状態の変化に応じたレベルを判別するレベル判別部３と、レベル判別部３で得た判別結果に基づいて表示図形としてのキャラクタを選択するキャラクタ表示制御部４と、キャラクタ表示制御部４によって選択した上記キャラクタを表示する表示部５とを備える。
【００１４】
ここで、レベル判別部３は、本実施の形態では、例えば、通信機器のパラメータとして使用状態を示す通話時間及び通話回数を選択した場合の構成を示している。
【００１５】
すなわち、レベル判別部３は、無線処理部２からの情報をもとにして通話時間情報を検出する通話時間検出手段とされる通話時間カウンタ部６と、無線処理部２からの情報をもとにして通話回数情報を検出する通話回数検出手段とされる通話時間カウンタ部７と、通話時間カウント部６又は通話回数カウント部７が計数した上記通話時間又は上記通話回数からその変化のレベルを判別するレベル判別検出手段とされる使用状態レベル判別部８とを備えて構成される。また、このレベル判別部３は、通話時間カウント部６及び通話回数カウント部７からの情報を基に通話料金を算出する通話料金計算部９を備える。
【００１６】
なお、レベル判別部３は、累積通話時間のみのレベルを検出する場合には、通話時間カウンタ部６のみを、また累積通話回数のみのレベルを検出する場合には、通話回数カウンタ部７のみを備えればよい。
【００１７】
次に表示装置１を構成する各部について詳しく説明する。
【００１８】
無線処理部２は、当該通信機器からの発信信号等によって通話の開始を検出する機能を有しており、例えば、通話の開始を検出した時に通話時間カウンタ部６及び通話回数カウンタ部７に通話開始検出信号を送る。
【００１９】
通話時間カウンタ部６は、無線処理部２からの通話開始検出信号を受けて、通話時間をカウントする。例えば、通話時間カウンタ部６は、既にカウントされた累積通話時間を得ている場合には、当該累積通話時間に積算してカウントする。この通話時間カウンタ部６がカウントした累積通話時間は、通話料金計算部９を介して、使用状態レベル判別検出部８に入力される。
【００２０】
通話回数カウンタ部７は、無線処理部２からの通話開始検出信号を受けて、累積通話回数に＋１を加算する。この通話回数カウンタ部７がカウントした累積通話回数は、通話料金計算部９を介して、使用状態レベル判別検出部８に入力される。
【００２１】
通話料金計算部９は、通話時間カウンタ部６で得た累積通話時間と通話回数カウンタ部７で得た累積通話回数等を基に通話料金を算出して、料金情報を出力する。例えば、通話料金計算部９は、月毎にクリアして計算した当該通話料金を出力する。
【００２２】
使用状態レベル判別検出部８は、通話時間カウンタ部６が得た累積通話時間及び通話回数カウンタ部７が得た累積通話回数が入力され、これら入力された累積通話時間及び累積通話回数のレベルを判別する。
【００２３】
使用状態レベル判別検出部８は、判別したレベルをキャラクタ表示制御部４に伝える。ここで、使用状態レベル判別検出部８は、このキャラクタ表示制御部４に累積通話時間又は累積通話回数の何れかを伝える。
【００２４】
キャラクタ表示制御部４は、レベル判別部３の状態レベル判別検出部８からの状態のレベルを受けて、表示部５に表示する表示図形としてのキャラクタを選択する。例えば、表示する表示図形であるキャラクタは、動物等の顔であって、例えばそれぞれが主に顔の輪郭が異なっている。
【００２５】
また、キャラクタ表示制御部４には、当該通信機器のバッテリ残量に関するバッテリ残量情報及び通信エリア（サービスエリア）の指標とされる電界情報とを入力することもできる。そして、キャラクタ表示制御部４は、これらバッテリ残量情報及び電界情報を基に表示部５にバッテリ残量及び電界強度を表示する。例えば、バッテリ残量及び電界強度の表示を上述したレベルに応じて選択したキャラクタの顔の表情を変化させることで行う。
【００２６】
よって、キャラクタ表示制御部４は、累積通話時間又は累積通話回数の変化のレベルに対応したキャラクタを表示させるとともに、当該累積通話時間又は累積通話回数の状態の変化に対応したキャラクタの顔の表情を他の状態の変化であるバッテリ残量及び電界強度のレベルに応じて変化させる。例えば、表情の変化は、バッテリ残量の変化によって口の形を変化させ、また電界強度の変化によって目の形を変化させて行う。
【００２７】
表示部５は、例えば液晶パネルによって構成され、キャラクタ表示制御部４が選択した上記キャラクタを表示する。
【００２８】
表示するキャラクタは、例えば、図２乃至図５に示すように、状態のレベルの変化に応じて、図２（ａ）→図３（ａ）→図４（ａ）→図５（ａ）といったように、動物の顔を順次変化させたもので、例えば主に動物の輪郭を変化させるようにしたものである。なお、図２（ａ）は目と口とその輪郭、図３（ａ）は猫の顔、図４（ａ）は虎の顔、図５（ａ）はライオンの顔であり、徐々に顔の輪郭が変化している。
【００２９】
例えば累積通話時間のレベルに対応してキャラクタを選択する場合は、図６に示すようなフローチャートに従って処理を行う。
【００３０】
先ず、使用状態レベル判別検出部８によって、ステップＳ１１に示すように、通話時間カウンタ部６によってカウントした累積通話時間が３時間以上であるかを判別する。累積通話時間が３時間以上の場合、ステップＳ１４に示すように、表示部５にライオンのキャラクタ表示（図５（ａ））を行う。
【００３１】
また、累積通話時間が３時間未満であった場合、使用状態レベル判別検出部８によって、ステップＳ１２に示すように、通話時間カウンタ部６によってカウントした累積通話時間が２時間以上であるかを判別する。累積通話時間が２時間以上の場合、ステップＳ１５に示すように、表示部５に虎のキャラクタ表示（図４（ａ））を行う。
【００３２】
また、累積通話時間が２時間未満であった場合、使用状態レベル判別検出部８によって、ステップＳ１３に示すように、通話時間カウンタ部６によってカウントした累積通話時間が１時間以上であるかを判別する。累積通話時間が２時間以上の場合、ステップＳ１６に示すように、表示部５に虎のキャラクタ表示（図３（ａ））を行う。
【００３３】
そして、累積通話時間が１時間未満であった場合、ステップＳ１７に示すように、目と口のキャラクタ表示（図２（ａ））を行う。
【００３４】
このように図６に示すようなフローチャートの処理に従うことで、累積通話時間のレベルに対応してキャラクタを選択することができる。
【００３５】
なお、累積通話回数のレベルに対応してキャラクタを選択する場合は、例えば、ステップＳ１１において通話回数が３０回以上であるか否かを判別し、そしてステップＳ１２において通話回数が２０回以上であるか否かを判別し、さらにステップＳ１３において通話回数が１０回以上であるか否かを判別することで行い、これにより、累積通話回数のレベルに対応してキャラクタ表示を変化させることができる。
【００３６】
ここでは、判別レベル、すなわち閾値を、３時間，２時間，１時間或いは３０回，２０回，１０回としているが、これに限定されることはない。
【００３７】
なお、バッテリ残量及び電界強度のレベルによって変化するキャラクタの顔は、例えば、目と口とその輪郭からなるキャラクタの場合、図２（ａ）から図２（ｄ）へ段階的に変化させ、猫の場合、図３（ａ）から図３（ｄ）へ段階的に変化させ、虎の場合、図４（ａ）から図４（ｄ）へ段階的に変化させ、ライオンの場合、図５（ａ）から図５（ｄ）へ段階的に変化させることができる。例えば、バッテリ残量の減少又は電池残量の減少により、図３乃至図５のキャラクタの表情を（ａ）→（ｂ）→（ｃ）→（ｄ）へと例えば機嫌が悪くなっていくようにみえるように表示を変化させる。
【００３８】
上述のように、表示装置１は、累積通話時間又は累積通話回数といった任意に選択した通信機器の状態を示すパラメータの変化のレベルに対応して、キャラクタを変化させることができる。なお、表示装置１は、機器の状態を示すパラメータが累積通話時間又は累積通話回数に限定されず、例えば、上述した通話料金計算部９からの料金情報より得られる通話料金でもよく、この場合、当該通話料金のレベルに対応させて、キャラクタを変化させることもできる。
【００３９】
よって、これにより、ユーザは、使用状態のレベルに応じて変化する表示部５に表示される表示図形であるキャラクタによって、これまでの通話時間及び通話回数等、或いは通話料金を知ることができる。
【００４０】
また、表示装置１のレベル判別部３は、上述したように、任意に設定されたパラメータのレベルを判別することができる。これにより、例えば、ユーザは、自分の好みで上記パラメータを設定することができるようになり、キャラクタ表示の変化によって、自ら設定した上記パラメータの変化のレベルを知ることができる。
【００４１】
また、表示装置１は、上述のように積算値として求められるパラメータによってキャラクタ表示が変化することに限定されず、自動的にパラメータのレベルをリセットしたり、パラメータの変化したレベルから減算してキャラクタ表示を変化させたりすることもできる。
【００４２】
例えば、表示装置１は、一定期間毎、例えば月毎に、上記キャラクタ表示をリセットすることもできる。この場合、表示装置１には、時計等の時間情報を入力することで実現できる。
【００４３】
月毎にキャラクタ表示をリセットさせる場合、図７に示すようなフローチャートに従って処理を行う。このフローチャートは、累積通話時間を精算する基準日、例えば毎月１日、の午前０時になると同時に累積通話時間を自動的にクリアし、初期値に戻す処理を行うようにしたものである。
【００４４】
先ず、ステップＳ１８に示すように、基準日であるか否かを判別する。このステップＳ１８において基準日であると判断した場合、また基準日が経過したと判断した場合、ステップＳ１９に示すように、累積通話時間を自動的にクリアし、初期値、例えば０に戻す。
【００４５】
使用状態を初期値にした後、ステップＳ２０において、累積通話時間に応じたキャラクタ表示を行っていく。ここで、累積通話時間に応じたキャラクタ表示は、例えば、先に説明した図６に示すフローチャートによって行う。
【００４６】
なお、ステップＳ１８において、基準日にあたらない場合は、通常通り動作させるようにする。
【００４７】
このように、図７に示すフローチャートの処理によって、表示装置１は、月毎に累積通話時間を初期値にすることができ、キャラクタ表示をリセットすることができる。
【００４８】
また、表示装置１は、上述のように一元的に変化することに限定されず、他のパラメータを参照してキャラクタ表示を行うこともできる。
【００４９】
すなわち、例えば、図８に示すようなフローチャートによって、１回の発信毎に表示キャラクタを変更するか否かを乱数表を用いて決定する。
【００５０】
先ず、ステップＳ２１に示すように、発信処理を行い、続いてステップＳ２２に示すように、通話時間の測定を行う。そして、ステップＳ２３に示すように、終話処理を行い、それと同時にステップＳ２４に示すように、キャラクタ表示用カウンタで得ている累積通話時間と乱数を積算する。ここで、キャラクタ表示用カウンタは、通話時間カウンタ部６と同様に、指定されているパラメータをカウントする。
【００５１】
累積積算時間と乱数を積算した後、ステップＳ２５において、例えば図６のフローチャートのような処理によって、キャラクタ表示を行う。
【００５２】
その他にも表示装置１は、キャラクタを強制的に変化させることもできる。例えば、特定の日になった場合に、表示装置１は、強制的にキャラクタを変化させる。さらに、表示装置１は、予め設定されたコードを受信した場合に限り、キャラクタを変化させたり、新たに初期値から積算値を求めてキャラクタをそれに対応させて変化させることもできる。
【００５３】
また、表示装置１は、常に増加傾向にある動作に対応する以外にも、減少させる要因によって、キャラクタ表示を変化させることもできる。例えば、長期間利用されなかった場合、１ランク下のキャラクタに表示を変化させる。
【００５４】
長期間使用されなかった場合、例えば図９に示すようなフローチャートに従って処理を行う。
【００５５】
先ず、ステップＳ２６に示すように、２４時間以内に発着信があったかを判別する。２４時間以内に発着信があった場合、ステップＳ２７に示すように、キャラクタ表示用カウンタで得ている積算値（カウンタ値）を減算する。
【００５６】
上記積算値を減算した後、ステップＳ２８において、例えば図６のフローチャートのような処理に従って、キャラクタのランクを下げてその表示を行うようにする。
【００５７】
また、表示装置１は、キャラクタを変化させる閾値を可変とすることで、キャラクタの変更タイミングを制御することもできる。すなわち、変化させるタイミングの閾値を、可変パラメータとすることで、一台一台毎に、キャラクタの変更時間を制御することもできる。
【００５８】
例えば、日中の通話が多い場合、成長が早くなるように閾値を低く設定させたり、長距離の通話が多い場合にも閾値を低くさせることも考えられる。
【００５９】
さらに、長時間利用がない場合には、不満そうな顔の表示させたりすることも考えられ、複数のパラメータを同時に制御させ、個性的に表示を行うことも考えられる。
【００６０】
以上のように表示装置１がキャラクタを表示することで、待ち受け時間など、とかく殺風景になりがちな携帯電話装置等の通信機器の表示部をにぎやかにすることができる。さらに、上述のような複数の条件を組み合わせて、積算値を求めるカウンタ部を変化させることで、さらにそれが効果的になる。
【００６１】
また、通信機器とユーザとのインターフェース部とされる表示にアナログ的な要素を加味することで、利用のメリハリを付けるとともに、さらなる利用の拡大を図ることができる。
【００６２】
さらに、ユーザが自由にパラメータを設定することによって、あたかもゲーム感覚で携帯電話装置等の通信機器を利用することができるようになり、これにより、利用の促進を図ることができる。
【００６３】
以下に、表示装置１を、例えば携帯電話装置に適用した例について説明する。
【００６４】
携帯電話装置は、図１０に示すように、アンテナ１２と、送受信した信号を処理する無線処理部１３と、入力された信号をデータ処置するデータ処理回路１４と、入力された信号の音声処理等を行う音声処理回路１５と、スピーカ１６と、音声信号の入力部となるマイクロホン１７と、ダイヤルキー等で構成するキー操作部１８と、文字，数字，図形等を表示する表示部１９と、各種情報が記憶される記憶装置２０と、当該携帯電話装置のシステムコントローラとなる制御装置２１とを備えている。
【００６５】
上記制御装置２１は、受信処理及び送信処理を行う部分であって、例えば、キー操作部１８からの操作情報が入力され、その操作情報に基づいて、発呼処理や着信処理などの無線電話装置としての各種機能処置を行う。
【００６６】
また、制御装置２１は、表示部１９に表示制御信号を送出することで、文字，数字，図形等を表示部１９に表示させる。表示部１９は、液晶パネル等で構成している。
【００６７】
なお、上述した表示装置１は、本例の携帯電話装置１１において、そのレベル判別部３及びキャラク表示制御検出部８が制御装置２１内に構成される。また表示装置１は、携帯電話装置１１において、無線処理部２が無線処理回路１３とされ、そして表示部５が表示部１９とされる。
【００６８】
このように構成した携帯電話装置１１は、信号を受信した際には、無線処理回路１３によって受信信号を復調処理する。無線処理回路１３で復調処理された受信信号は、データ処理回路１４に入力される。
【００６９】
データ処理回路１４は、入力された受信信号に所定のデータ処理を施して、音声データや制御データを抽出する。このデータ処理回路１４で抽出された音声信号は、音声処理回路１５に入力される。
【００７０】
音声処理回路１５は  音声信号に対してアナログ変換や増幅するなどの音声処理を行う。音声処理回路１５で音声処理された音声信号は、スピーカ１６に供給され、当該スピーカ１６から音声として出力される。
【００７１】
また、信号を送信する際には、携帯電話装置１は、マイクロホン１７から入力された音声信号が音声処理回路１５に入力される。
【００７２】
音声処理回路１５は、入力された音声信号にディジタル変換等の音声処理を行って伝送用の音声データとして、データ処理回路１４に出力する。
【００７３】
データ処理回路１４は、入力された音声データに他のデータ、例えば制御データや同期データを付加して、送信信号を生成する。データ処理回路１４からの送信信号は、無線処理回路１３に入力される。
【００７４】
無線処理回路１３は、入力された送信信号を変調した後、所定の周波数変換する。無線処理回路１３で変調して周波数変換された送信信号は、アンテナ１２から無線送信される。
【００７５】
この携帯電話装置１１は、その表示部１９にキャラクタが状態のレベルに応じたキャラクタを表示する。
【００７６】
ここで、表示部１９について詳しく説明する。表示部１９は、上述したように、例えば液晶パネルによって構成されるものであって、例えば図１１に示すように、通話エリア外（サ−ビスエリア外）であることを示す文字「圏外」を表示する表示エリア２１と、アンテナの記号と共に複数本（ここでは３本）の棒グラフで基地局からの信号の受信レベルを示すサ−ビスレベルの表示エリア２２と、電池を示す図形の中の表示ブロックの数で２次電池の充電残量を示す電池残量の表示エリア２３と、その残りの部分であって、ドットマトリクスからなるドットマトリクス表示エリア３０とを備えている。
【００７７】
上記サービスレベルを示す表示エリア２２は、サ−ビスエリア内で最も受信レベルが悪い状態のとき、アンテナを示す図形だけを表示させ、その状態から受信レベルが１段ずつ良くなるに従って棒の表示本数を増やす４段階の表示を行う。
【００７８】
上記電池容量を示す表示エリア２３は、３個のブロックの表示数を電池残量に応じて増減させる３段階の表示を行う。
【００７９】
上記ドットマトリクス表示エリア３０は、数字，文字，図形を表示させ、所定桁・所定段（ここでは１０桁の文字を３段）表示させるようにドットマトリクスで構成している。ドットマトリクス表示エリア３０は、一般的には、電話番号などの数字や、登録された名前や各種メッセ−ジなどを表示させることができるエリアとされている。
【００８０】
本例では、このドットマトリクス表示エリア３０に、文字、数字の他に、動物の顔等の図形を表示することができるようにしている。
【００８１】
ドットマトリクス表示エリア３０は、この動物の顔等の図形表示を行うために、各文字表示エリア間の隙間に、増設ライン６１〜７３を設けて、ドットマトリクス表示エリア３０全体を使用した比較的大きな図形が表示できるようにしてある。
【００８２】
即ち、ドットマトリクス表示エリア３０は、上述したように１０桁×３段の計３０個の文字表示エリア（図１２に示す表示エリア３１，３２，３３，・・・・６０）で構成され、１個の文字表示エリアが縦７ドット×横５ドットの３５ドットで構成される。
図１１において、四角を塗りつぶして示すドットが、各文字表示エリアを構成するドットである。また、各文字表示エリアの下端に、カ−ソル表示用の増設横ライン７１，７２，７３を設けてある。図１１において、白抜きの四角で示すドットが、各増設ラインを構成するドットである。
【００８３】
表示部１９とされるは液晶パネルは、図１２に示すように、ドットマトリクス表示エリア３０がＬＣＤドライバ８０によって駆動される。このＬＣＤドライバ８０は、１２桁×３段のドットマトリクスを表示させる能力があるものを使用する。
【００８４】
ドットマトリクス表示エリア３０は、１０桁×３段の計３０個の文字表示エリア３１，３２，３３・・・・６０で構成され、各段の１０個の文字表示エリアを構成するドットの縦ライン（５ドット×１０：５０ライン）が、ＬＣＤドライバ８０の１２桁分用意された縦ライン接続部Ｘ１，Ｘ２・・・・Ｘ１２の内の１０桁分の縦ライン接続部Ｘ１〜Ｘ１０の１０ラインを使用して接続される。
【００８５】
また、各文字表示エリアを構成するドットの横ライン（７ドット×３＋カーソル表示用のライン分に３ドット：２４ライン）がＬＣＤドライバ８０の３段分用意された横ライン接部Ｙ１，Ｙ２，Ｙ３を使用して接続している。
【００８６】
そして、増設ライン６１〜７０を構成する１０ラインが、ＬＣＤドライバ８０の残りの２桁分の接続部Ｘ１１，Ｘ１２の１０ライン分を使用して接続している。なお、カーソル表示用のライン７１，７２，７３については、ここでのＬＣＤドライバ８０としてカーソルを含んで縦方向８ドットまで表示できる能力を有するものを使用している（縦７ドットまでしか表示できないドライバを使用する場合には増設縦ラインのように別の段の横ライン接続部を使用する。）。
【００８７】
このように構成したことで、図１０に示すように、ドットマトリクス表示エリア３０として、縦２４ドット×横６０ドットが連続して配置されたエリアが構成され、このドットマトリクス表示エリア３０を使用して１０桁・３段までの文字、数字（この文字、数字だけを表示させる場合には増設ライン６１〜７３は使用しない）の表示の他に、ドットマトリクス表示エリア３０を連続的に使用することで図形等の表示が行われる。
【００８８】
上述のようになドットマトリクス表示エリア３０に動物等の顔のキャラクタを表示する場合の表示処理について説明する。
【００８９】
動物のキャラクタ表示は、累積通話時間等の積算値のレベルに対応した制御回路２１のキャラクタ表示制御部４の情報を基に、当該制御回路２１が、ＬＣＤドライバ８０の制御を行うことで実現している。
【００９０】
すなわち、制御装置２１は、判断したレベルに基づいて、ＬＣＤドライバ８０に、対応したキャラクタを表示させるための表示信号を供給し、例えば、図１３に示すように、ドットマトリクス表示エリア３０に当該対応したキャラクタの顔が表示する。また、図１３に示すように、表示部１９の上部表示エリア２１，２２，２３で、文字や図形で圏外表示、サービスレベル表示、電池残量表示を行わせることもできる。
【００９１】
或いは、図１４に示すように、表示部１９のドットマトリクス表示エリア３０に上記対応したキャラクタのみを表示することもできる。例えば、この場合であっても、キャラクタの顔の表情を変化させることで、サービスレベルや電池残量を知らせることができる。
【００９２】
図１５乃至図１８は、外部から見た携帯電話装置１１の構造を示しており、上述のように表示部１９を適宜制御することで、当該表示部１９には、当該携帯電話装置１１の状態の変化に応じて、当該図に示すように、各レベルに対応したキャラクタを表示することができる。
【００９３】
なお、キャラクタは、上述したように、目と口のみからなるもの、猫の顔、虎の顔、ライオンの顔に限定されず他の動物等のであってもよい。例えば、図１９に示すように、熊であっても良く、図２０に示すように、犬であっても良い。
【００９４】
また、キャラクタの表示を、例えば、レベルの変化に応じて成長するキャラクタにすることもできる。例えば、レベルの変化に応じて卵からオタマジャクシ、オタマジャクシからカエルへとキャラクタが成長しているような表示を行う。
【００９５】
さらに、キャラクタの変化は、上述のように４段階に限定されるものでなく、５段階以上にキャラクタを変化させることもできる。
【００９６】
以上のように表示装置１を携帯電話装置１１に適用することができる。よって、携帯電話装置１１は、通話時間、通話回数、さらにユーザ等によって選択された当該装置の使用状態のレベルをキャラクタの変化によって表示することができる。
【００９７】
【発明の効果】
本発明に係る表示方法は、無線端末機器の備える無線処理手段に入力される送信信号により得た情報を基にして上記機器の状態の変化を検出し、当該機器の状態の変化のレベルに対応した一の表示図形要素と、他の表示図形要素を組み合わせた表示図形を表示するので、機器状態をユーザ等が知ることができる。
【００９８】
よって、上記表示方法によって、ユーザの設定によって得られた機器の情報が有意義なものとして表示することができることになる。
【０１０４】
さらに、本発明に係る通信装置は、レベル判別手段によって得た機器の状態の変化に応じたレベルの判別結果に基づいて、表示制御手段が一の表示図形要素を選択するとともに、上記機器における他の状態の変化に応じて他の表示図形要素を選択し、上記各表示図形要素を組み合わせた表示図形を構築し、その表示図形を表示部が表示する。
【０１０５】
よって、上記通信装置に表示された表示図形を確認することによって、当該通信機器の状態をユーザ等が確認することができる。
【０１０６】
また、上記通信装置は、自由に設定したパラメータの変化したレベルに対応して表示図形を表示させることができるために、ユーザが自ら設定したパラメータの変化のレベルを当該表示図形の変化により知ることができる。
【０１０７】
そして、上記通信装置は、待ち受け時間など、とかく殺風景になりがちな表示部をにぎやかにすることができるために、これにより利用の促進を図ることができる。
【０１０８】
したがって、通信装置は、ユーザ等が設定した情報を有意義なものとして表示することができる。
【図面の簡単な説明】
【図１】本発明の実施の形態である表示装置を示す回路構成図である。
【図２】上記表示装置によって機器の状態のレベルに応じて表示する目と口のみからなる表示図形とされるキャラクタを示す図である。
【図３】上記表示装置によって機器の状態のレベルに応じて表示する猫の顔からなるキャラクタを示す図である。
【図４】上記表示装置によって機器の状態のレベルに応じて表示する虎の顔からなるキャラクタを示す図である。
【図５】上記表示装置によって機器の状態のレベルに応じて表示するライオンの顔からなるキャラクタを示す図である。
【図６】通話時間によって表示するキャラクタを変化させるための処理を示すフローチャートである。
【図７】月毎に通話時間をキャンセルするための処理を示すフローチャートである。
【図８】キャラクタ表示をするかしないかを乱数によって決定するための処理を示すフローチャートである。
【図９】長期間発着信がない場合に表示するキャラクタのランクを下げるための処理を示すフローチャートである。
【図１０】上記表示装置を適用した携帯電話装置を示す回路構成図である。
【図１１】上記携帯電話装置の表示部であって、液晶パネルによって構成されてものを示す構成図である。
【図１２】上記液晶パネルのドットマトリクス表示エリアとＬＣＤドライバとの接続状態を示す構成図である。
【図１３】上記表示部にキャラクタ，電界強度及び充電残量を表示したときの様子を示す構成図である。
【図１４】上記表示部にキャラクタを表示したときの様子を示す構成図である。
【図１５】上記携帯電話装置の表示部に目と口とからなるキャラクタを表示したときを示す構成図である。
【図１６】上記携帯電話装置の表示部にキャラクタとした猫の顔を表示したときを示す構成図である。
【図１７】上記携帯電話装置の表示部にキャラクタとした虎の顔を表示したときを示す構成図である。
【図１８】上記携帯電話装置の表示部にキャラクタとしたライオンの顔を表示したときを示す構成図である。
【図１９】上記携帯電話装置の表示部にキャラクタとした熊の顔を表示したときを示す構成図である。
【図２０】上記携帯電話装置の表示部にキャラクタとした犬の顔を表示したときを示す構成図である。
【図２１】上記携帯電話装置等の表示部に従来からなされている時刻表示を示す図である。
【符号の説明】
１  表示装置、２  無線処理部、３  レベル判別部、４  キャラクタ表示制御部、５  表示部、１１  携帯電話装置
【図１】
0003903533.tif 000002
【図２】
0003903533.tif 000003
【図３】
0003903533.tif 000004
【図４】
0003903533.tif 000005
【図５】
0003903533.tif 000006
【図６】
0003903533.tif 000007
【図７】
0003903533.tif 000008
【図８】
0003903533.tif 000009
【図９】
0003903533.tif 000010
【図１０】
0003903533.tif 000011
【図１１】
0003903533.tif 000012
【図１２】
0003903533.tif 000013
【図１３】
0003903533.tif 000014
【図１４】
0003903533.tif 000015
【図１５】
0003903533.tif 000016
【図１６】
0003903533.tif 000017
【図１７】
0003903533.tif 000018
【図１８】
0003903533.tif 000019
【図１９】
0003903533.tif 000020
【図２０】
0003903533.tif 000021
【図２１】
0003903533.tif 000022